(57)【要約】  血圧測定装置は装置ハウジングの内部空洞に設けられた可撓性弾性部材内に少なくとも部分的に収容される計器を含んでいる。計器が収容される耐衝撃性部材により、流体圧変化に反応するムーブメント機構を有する計器の内部と流体源（膨張可能血圧カフのような）との間の流体連通が可能になり、耐衝撃性部材はムーブメント機構のための衝撃（ショック）及び／若しくは衝突（インパクト）耐性を提供する。更なる衝撃／衝突吸収が装置の外部形状により提供され、当該外部形状は複数の隆起したばね状突起部を有する周囲バンパ及び装置ハウジングのゴムで覆われて形成された外部形状を含んでいる。【特許請求の範囲】
【請求項１】
血圧測定装置であって、
流体圧の変化に反応するムーブメント機構を含む計器ハウジングと、
内部空洞を有する装置ハウジングと、
前記計器ハウジングの少なくとも一部を囲む弾性部材と、からなり、
前記計器ハウジングは係合部及び流体を受け入れるための少なくとも１つのポートを有しており、前記内部空洞は前記計器ハウジングを保持する大きさに形成され、前記弾性部材は前記計器ハウジングから前記装置ハウジングへ伝わる衝撃荷重を吸収すると共に、前記計器ハウジングと流体源との間の流体連通を可能にすることを特徴とする血圧測定装置。
【請求項２】
前記弾性部材は弾性ガスケットを含むことを特徴とする請求項１に記載の装置。
【請求項３】
前記弾性ガスケットは前記係合ポートを収容する大きさに形成された収容ポートを含み、前記ガスケットは前記装置ハウジングの内部に固定して取り付けられることを特徴とする請求項２に記載の装置。
【請求項４】
前記弾性ガスケットは前記流体源に繋がった流体接続ポートを含むことを特徴とする請求項３に記載の装置。
【請求項５】
前記弾性部材は堅固にフィットする弾性保持部を含むことを特徴とする請求項１に記載の装置。
【請求項６】
前記計器ハウジングは上方保持部及び下方係合部を含んでおり、前記上方保持部は前記下方係合部の直径より大きい直径を有しており、前記弾性保持部は前記計器ハウジングの上方保持部を収容する大きさに形成されることを特徴とする請求項５に記載の装置。
【請求項７】
前記弾性保持部は前記係合部が移動できる大きさに形成された中心開口部を含んでいることを特徴とする請求項６に記載の装置。
【請求項８】
前記弾性保持部は前記上方保持部及び前記計器ハウジングの前記下方係合部を収容する大きさに形成されることを特徴とする請求項６に記載の装置。
【請求項９】
前記弾性部材は間隔を開けて設けられた複数のリブを含み、前記リブは前記装置ハウジングの内壁と係合する大きさに形成されることを特徴とする請求項１に記載の装置。
【請求項１０】
前記弾性部材は前記計器ハウジングのポートの少なくとも１つに対して配置された流体を受け入れるポートを含むことを特徴とする請求項６に記載の装置。
【請求項１１】
前記装置ハウジングの頂部に取り付けられた周囲バンパを含み、前記周囲バンパは前記計器の頂部窓を覆うべく隆起した周囲部を有することを特徴とする請求項１に記載の装置。
【請求項１２】
前記周囲バンパの前記隆起した周囲部は弾性材料から形成され、衝撃荷重を吸収するために形成された複数の隆起した突起部を含むことを特徴とする請求項１１に記載の装置。
【請求項１３】
前記周囲バンパは使用者が前記計器の頂部窓を見ることができる中心開口部を含み、前記バンパは前記隆起した突起部及び前記中心開口部との間に可撓性の周囲ウェブフランジを含むことを特徴とする請求項１２に記載の装置。
【請求項１４】
前記計器の前記頂部窓と前記頂部周囲バンパとの間に配置された周囲リング部材を含むことを特徴とする請求項１３に記載の装置。
【請求項１５】
血圧測定装置であって、
計器と、
前記計器が配置される内部空洞を有する装置ハウジングと、
前記計器内に保持されたムーブメント機構と、
前記装置ハウジングに伝わる衝撃及び／若しくは衝突荷重を吸収するための前記装置ハウジング内の弾性支持部材と、からなり、
前記ムーブメント機構は流体圧力の変化に反応し、前記計器は流体が内部に流入することを許容する開口部を下部に含み、前記弾性支持部材は前記流体源と前記計器の内部との間の流体連通を可能にする手段を含んでおり、前記弾性支持部は前記計器ハウジングの少なくとも一部と係合することを特徴とする血圧測定装置。
【請求項１６】
前記弾性支持手段は前記計器の外部を覆うべく前記計器の周囲に係合するように形成された弾性保持部を含み、前記弾性保持部は前記流体源と前記計器の内部との間の流体連通を可能にする開口部を含むことを特徴とする請求項１５に記載の装置。
【請求項１７】
前記弾性保持部は複数の外部リブを含むことを特徴とする請求項１６に記載の装置。
【請求項１８】
複数の外部リブが前記保持部の底部及び側部に設けられることを特徴とする請求項１７に記載の装置。
【請求項１９】
曲線の輪郭を形成された少なくとも１つの外部リブが前記保持部の底部に設けられることを特徴とする請求項１７に記載の装置。
【請求項２０】
前記装置ハウジングは膨張可能スリーブに取り付け可能であることを特徴とする請求項１５に記載の装置。
【請求項２１】
前記装置は血圧を測定するために使用されることを特徴とする請求項１５に記載の装置。
【請求項２２】
前記弾性支持手段は前記計器が配置される可撓性ガスケットを含み、前記可撓性ガスケットは前記装置ハウジングの前記空洞内に固定して取り付けられることを特徴とする請求項１５に記載の装置。
【請求項２３】
前記可撓性ガスケットは前記計器と前記流体源との流体連通を可能にするポートを含んでいることを特徴とする請求項２２に記載の装置。
【発明の詳細な説明】
【クロスリファレンス】
【０００１】
本出願は２００５年３月１６日に出願した米国特許出願第１１／０８１，３３１号の出願日の優先権の恩恵を主張する。
【発明分野】
【０００２】
本発明は血圧測定装置の分野に関しており、詳しくは、改良した衝撃（ショック）及び／若しくは衝突（インパクト）に対して耐性を有する血圧測定装置に関する。
【背景技術】
【０００３】
血圧計は医療器具の分野において臨床医、介護者、若しくは患者により患者の動脈血圧（ABP）を測定するために使用される装置として一般的に知られている。まとめれば、これら血圧測定装置は患者の腕や脚などの突出部の周りを包む可撓性で膨張可能なスリーブ若しくはカフを通常含んでおり、前記血圧測定装置は膨張手段（例えば、流体充填バルブ若しくはポンプ）に取付けられている。装置に取付けられた計器機構はスリーブ内部の流体圧変化を検出し、聴診器と共に使用される場合には拡張気圧（最低圧力）及び収縮気圧（最大圧力）を検出する。
【０００４】
最近、本願出願人は上記した装置及び他の血圧測定装置にも有用である改良された計器機構を開発した。この機構は米国特許第５，９６６，８２９号（当該米国特許の全内容は参考文献として本出願に組み込まれる）に開示され、この機構は螺旋状に巻かれた薄いリボンばね部材を使用しており、当該ばね部材は一端が軸シャフト部材に固定され、他端が装置の固定支持部に固定される。シャフト部材は移動可能であり、一端においてインジケータ及び目盛りを有する指針面を保持しており、当該シャフト部材の他端はダイヤフラム若しくは他の圧力反応素子の出力を受け取ることができる位置に置かれる。スリーブは収縮若しくは膨張するので、ダイヤフラムが動き、よって、シャフト部材が軸方向に動く。しかし、螺旋状に巻かれたリボンばねの妨げのために、シャフト部材はその軸の周りの回転を生ずる。従って、指針面及び目盛りに対する周運動が指示部材に伝えられる。上記した計器機構は製造において簡単であり、構造においては比較的単純であり、さらに、血圧の他どのようなパラメータ出力でも繰り返し可能で且つ正確な結果を出力する。さらに、当該メカニズムは上記目的のために使用される典型的な計器機構と比較して、非常にコンパクトである。前記典型的な計器機構の複雑さはスイス製時計に類似しており、より高い精度のためにさらに多くの部品を必要とし、重量を増加させ、さらにより大きな輪郭／包装部を必要とする。
【０００５】
上記計器機構のより最近の種類では、構造の単純さ及び製造の容易さのために、上記軸構造は膨張可能スリーブに直接取り付けられることができ、さらに、ホース及び管を必要とせずにスリーブの内部と流体的に連通されることができるハウジングに置かれることができる。この概念は米国特許第６，６１５，６６６号においてより詳しく説明されており、前記米国特許の全内容は本明細書に組み込まれる。
【０００６】
血圧測定装置（特に、上記計器機構）の耐衝撃性を改良することが医療機器分野では一般的に望まれている。常に、これらの装置はテーブル若しくは他の表面から落下し易く、前記装置の働きをいずれ損傷するか破壊してしまう他の衝撃若しくは衝突荷重が伝えられる恐れがある。上記した如く組み込んだ米国特許第６，６１５，６６６号において説明された最近の試みは、取り外せるか一体化して取り付けられた周囲バンパを含んでいる。前記バンパは計器ハウジングの上部の一部に重なるように設けられ、膨張可能スリーブのソケットと係合する計器ハウジングの係合端に周囲流路を追加する。これら試みは血圧測定装置（計器機構を含む）の一定の局所的な衝撃若しくは衝突荷重から全体的な耐性を改良したが、これら血圧測定装置の性能を前記種類の荷重に耐えるようにさらに改良する要求が続いている。
【発明の開示】
【０００７】
よって、本発明の第１の目的は、上記した従来の血圧測定装置を改良することである。
【０００８】
本発明の更なる目的は、従来の装置よりも衝撃（ショック）及び／若しくは衝突（インパクト）に対してより耐性及び抵抗性があるが、構造が全体的な性能特性若しくは信頼性を犠牲にしないか減少させない血圧測定装置を提供することである。
【０００９】
従って、本発明の好適なアスペクトによれば、患者の血圧を測定するための装置が提供される。当該装置は、
内部空洞及び当該内部空洞に流体的に連通された流体充填部を含む装置ハウジングと、
計器ハウジングと、
前記装置ハウジングに対する衝撃及び衝突荷重から前記計器ハウジングを保護する衝撃吸収手段と、からなり、
前記計器ハウジングは第１直径を有する上方円筒部と前記第１直径より実質的に小さい第２直径を持つ下方円筒部とを有しており、前記上方円筒部は頂部窓を含んでおり、前記下方円筒部は前記計器ハウジングの内部に伸びる開口部を含んでおり、前記計器ハウジングは内部に保持したムーブメント機構を含んでおり、前記ムーブメント機構は前記内部空洞内の流体変化を検出するための手段を含んでおり、前記衝撃吸収手段は前記装置ハウジングに伝わる荷重が前記計器ハウジングに向かないように前記内部空洞に前記計器ハウジングを保持する手段を含んでいる。
【００１０】
１つの変形例によれば、衝撃吸収手段は前記計器ハウジングを内部に収容する大きさ及び形状に形成されて堅固にフィットする弾性保持部を有しており、前記保持部は前記装置ハウジングの内部空洞にフィットし、衝撃及び／若しくは衝突荷重は弾性保持部の面により吸収され、計器ハウジングに伝えられない。弾性保持部は外部に所定の間隔をおいて設けられた複数のリブを含み、前記リブは装置ハウジングの内壁と接触し、前記リブはどのような衝撃及び衝突荷重でも受け止めるように形成されることが好ましく、さらに、弾性保持部は前記内部空洞と前記計器ハウジングの内部との間の流体連通ができる開口部を含むことが好ましい。
【００１１】
他の変形例によれば、計器ハウジングは装置ハウジング内に宙に浮いた状態にされた弾性ガスケットにマウントされる。同様に、この弾性ガスケットは衝撃及び／若しくは衝突荷重が計器ハウジングに伝わる前にこれら荷重を吸収すると共に、計器ハウジングの内部と本装置の流体充填部との間の流体連通を妨害しないように構成される。１つの形態によれば、弾性ガスケットは計器ハウジングの係合端を収容する中心ポートを含む円盤状部材を有しており、前記中心ポートは装置ハウジングに存在する流体ポートに対して配置されており、流体連通を可能にする。
【００１２】
１つの好ましい実施例によれば、該ムーブメント機構は、移動可能であり且つ動くように支えられた軸シャフト部材を含み、薄いリボンばね部材が該シャフト部材の外側に巻かれていることが好ましい。薄いリボンばねの一端は固定支持部に取り付けられ、該ばねの他端は軸シャフト部材に取り付けられている。軸シャフト部材の上端には指示部材が取り付けられ、ダイヤフラム若しくは他の圧力反応素子により軸シャフト部材を平行移動せしめる。この軸のムーブメントは薄いリボンばね部材の取付のために妨げられ、これにより、平行移動に加えてシャフト部材の回転が生じ、指針面に設けた目盛りに対する指示部材の回転作動が生ずる。前記指針面は計器ハウジングの上方保持部の窓部において見ることができる。代わりに、ムーブメント機構は他の機械的な構造及び／若しくは電気的なデザインを呈することもできる。
【００１３】
堅固にフィットする弾性保持部の外部（好ましくは、さらに、弾性保持部の側面及び底部）に設けられたリブが、装置ハウジングの内部空洞内に置かれた場合に、衝撃若しくは衝突荷重を効率的に吸収し、これら荷重が計器機構に伝わらないようにするとよい。さらに、保持された計器ハウジングの上部のための保護部を提供することに加えて、外周バンパが設けられ、当該バンパは計器ハウジングの頂部窓に対する損傷を防ぎ、衝撃若しくは衝突荷重が装置ハウジングの上部に伝わることを防ぐか最小にする。
【００１４】
装置ハウジングはこのような装置のルーチン操作において引き起こされる様々な種類の荷重に耐えるように形成及び構成される。例えば、本装置は計器の文字盤を衝撃荷重から守る上方周囲バンパを含み、前記バンパは一組のばね状外部突起部及びウェブフランジを含み、装置の文字盤側の方への落下の間、計器質量部が前方部を押す場合に、外部突起部及びウェブフランジの各々は曲がり、及び／若しくは衝撃荷重を吸収する。さらに、堅い外部リングが上部周囲バンパと計器の文字盤面との間に挿入される。さらに、装置ハウジングは更なる衝撃及び衝突耐性をアセンブリの全質量部に付与するための外形及び形状に形成される。
【００１５】
流体充填部は装置ハウジング内に直接設けられるか、別に設けられることができる。１変形例によれば、装置は膨張可能スリーブに設けたソケットに直接取り付けられ得る。
【００１６】
本発明の利点は当該技術分野において公知の装置より衝撃及び衝突に対してさらに強い血圧測定装置を提供することである。
【００１７】
本発明の他の利点は本明細書に記述される衝撃吸収部材及び衝突抵抗部材を包含することにより、装置のコスト若しくは製造に重大な影響を与えないだけでなく、これら特徴が性能若しくは効率性を下げないことである。
【００１８】
本発明により明らかにされる他の利点は一つの共通な血圧測定ムーブメント機構が手保持計器と「ポケット型」と称される計器とに効率的に使用されることができることである。
【００１９】
これら及び他の内容、特徴、及び利点は以下の詳細な発明から容易に明らかになるであろう。
【発明の詳細な説明】
【００２０】
以下の説明は本発明に基づいて作られた一体化血圧測定装置の幾つかの実施例に関する。しかし、以下の説明から、他の種類の圧力測定装置（例えば、気圧計、圧力計、圧力指示器等）にも本明細書において説明される概念が有効に使用されることが容易に理解されるであろう。さらに、パラメータ（例えば、温度及び力）に応じる任意の変換器の出力部にも本明細書に説明される発明の概念を同様に使用すると考えられる。なお、以下の説明の過程を通じて、「頂部」、「底」、「上」、「下」、「上方」、及び「下方」等の特定の用語が使用される。しかし、これら用語は添付図面に関する基準形を与えるために使用される。従って、特定の指示された場合を除き、これら用語が本発明を限定すると見なすべきではない。
【００２１】
図１によれば、典型的な血圧測定器（つまり、血圧計）１０は、患者の突出部（つまり、腕若しくは脚（図示せず））の周りを包むことができる膨張可能なスリーブ若しくはカフ１４を含んでいる。スリーブ１４はスリーブに設けられたポート２２に連通されたホース２３を含む流体充填アセンブリ１８により膨らまされ、スリーブ１４の内部に流路を提供する。
【００２２】
計器２６は膨張可能スリーブ１４の近傍ポートにホース２７によって分離して接続され、スリーブの内部と流体連通しており、ハウジングは測定目盛３２を有する指針面３０を含んでいる。スリーブ１４は流体充填アセンブリ１８を用いて膨張収縮させられるので、計器２６の内部に設けられたムーブメント機構（図示せず）はスリーブ内部の圧力変化に反応し、取り付けた指示部材が指針面３０上の測定目盛３２に対して動く。スリーブは適切な膨張圧に膨張させられ、その後抽気弁３６を用いて収縮されるので、上腕動脈（スリーブ１４が患者の腕を包んでいる場合）の心拍数を計り、計器２６を用いて患者の拡張気圧及び収縮気圧を測定するために聴診器（図示せず）が使用される。
【００２３】
血圧計の特徴を一緒に組み込むための努力が更になされた。図２及び図３に示されるこのような装置の１つは手保持アセンブリにおいて計器４４の底部に取り付けられた気体充填バルブ４８を有する計器４４を組み込んでいる。この一体化装置４０は一端が計器４４に設けられたポート４７に取り付けられたホース４３を介して膨張可能スリーブ４５（図２にだけ示されている）の内部まで流体的に接続されており、トリガ５４（図３にだけ示されている）を含んでいる。このトリガ５４によって弁（valving）５６（図３にだけ示されている）が膨張可能スリーブを収縮させることが可能になる。しかし、上記したように、上記装置は操作を成功させるために、比較的複雑であり、バルブ４８と計器４４との間に多くの複雑な部品を含んでいる。
【００２４】
上記説明が本発明の背景である。ここで、図４を参照する。図４には本発明による一体化血圧測定装置６０が示されている。当該血圧測定装置は下部６８が手によって保持できる大きさ及び形に形成された弾性スリーブ６４を含んでいる。スリーブ６４は可撓性で型取形成可能な材料（例えば、医療用ＰＶＣ）から製造されることが好ましく、さらに、スリーブが流体を透過させないことが好ましい。使用者により圧縮され得る可撓性で収縮可能なバルブ７２はスリーブ６４の下部６８に配置される。収縮可能バルブ７２の下部７６はスリーブ６４の底部に設けられた注入ポート８４に対応して設けられた第１単方向弁８０を含んでいる。収縮可能バルブ７２の上部７４に設けられた第２単方向弁は空気が収縮可能バルブ７２に再び戻るのを防止する。
【００２５】
ホース８８は収縮可能バルブ７２の上部７４からトリガアセンブリ９６まで伸びる。この実施例に基づくトリガアセンブリ９６は収縮可能バルブ７２から伸びるホース８８及びホース９０の一端と接続した抽気弁９２を含んでいる。抽気弁９２は当該抽気弁に対して付勢して取付けられた可動トリガ９９により取付られており、トリガは弾性スリーブ６４の外面から突き出ている。
【００２６】
計器ハウジング１００は弾性スリーブ６４の上部１０２内に、好ましくは開口部すなわちポケット１０８内に密閉して保持され、当該開口部すなわちポケット１０８は計器ハウジングの直径より短い直径を有し、計器ハウジングと開口部との間に確実な係合を確保する。この実施例による計器ハウジング１００は上部１０４と下方係合端１０６とを含むほぼ円筒状である本体部により区画形成される。上部１０４は下方係合端の直径（例えば、第２直径）よりも十分大きい第１直径を有する。以下において説明されるように、計器１００内に包含されたムーブメント機構は流体接続された膨張可能スリーブ（図示せず）内で起こる圧力変化に反応する。
【００２７】
さらに、図４によれば、ムーブメント機構は可動面を有する計器ハウジング１００の内部に水平に配置されたダイヤフラム１１６を含んでいる。垂直に配置された軸シャフト部材１３０の一端はダイヤフラム１１６の可動面の近傍に配置され、シャフト部材は平行移動できるように支持される。ベリリウム銅若しくは同様な可撓性材料からなる薄い螺旋状リボンばね１３４がシャフト部材１３０の一部の周りに巻かれている。リボンばね１３４の一端は計器ハウジング１００の固定支持部に取り付けられており、リボンばね１３４の他端は軸シャフト部材１３０の中間に取り付けられている。指示部材１３８は指針面の頂部面に設けられた適切な目盛（図示せず）を有する指針面１４２に対してシャフト部材１３０の上端に保持されている。透明な窓１４６が計器ハウジング１００の上部１０２を覆っている。
【００２８】
計器ハウジング１００の下方係合部１０６については、以下においてより詳しく説明する理由のために、空気／流体が計器ハウジング内部に入ることを許容するポート１４８を含んでいる。
【００２９】
弾性スリーブ６４の保持ポケット１０８の下部はホース部１２３の一端に接続された開口部１１８を含んでおり、ホース部１２３は前記開口部１１８から伸びている。ダイヤフラム１１６はＯリング１４５により内部に密閉して固定されており、計器ハウジング１００内に液密シールを形成している。
【００３０】
トリガアセンブリ９６から伸びるホース９０はＴ字部において２つの部分１２３、１２５に分かれている。ホース部１２３は保持ポケット１０８に整列された開口部１０９を通って計器ハウジング１００に形成されたポート１４８へ伸び、ホース部１２５は装置６０から膨張可能スリーブ（図示せず）へ伸びる。
【００３１】
動作において、弾性スリーブ６４の下部６８は圧縮され、空気は単方向弁８０を経て流体充填バルブ７２に引き込まれ、ホース８８を経てバルブの頂部の外に送られる。トリガアセンブリ９６の抽気弁９２は最初は閉塞されているので、空気はホース部１２３、１２５を通って膨張可能スリーブ（図示せず）と計器ハウジング１００とに導かれる。開口部１０９及びポート１４８を経て計器ハウジング１００に入る空気により、ダイヤグラフ１１６の動作及びこれに対応するシャフト部材１３０の軸方向の移動を生ぜしめる。シャフト部材１３０は上方に平行移動するので、計器１００の固定支持部に対する螺旋状に巻かれたリボンばね１３４のたわみにより、シャフト部材は回転し、指針面１４２の目盛りに対する指示部材１３８の円周運動が生ずる。ムーブメント機構及び計器ハウジング１００に関する更に詳しい説明は米国特許第５，９６６，８２９号になされており、 当該米国特許の全内容は本出願に予め組み込まれている。
【００３２】
トリガ９９の操作によって抽気弁９２を開放し、スリーブ（図示せず）の収縮と計器ハウジング１００から空気の逃げを許容する。
【００３３】
図５において、一体化血圧測定装置１６０の第２実施例は上記した装置と類似した形状の弾性スリーブ１６４を含んでおり、当該弾性スリーブは上部１６８及び連続する下方係合部１７２を含んでいる。この実施例によれば、弾性スリーブ１６４の下部１７２内に流体充填バルブを設ける代わりに、スリーブが血圧スリーブ（１８４として概略が示される）を空気によって膨張させるための手段となる。スリーブ１６４の下部１７２の底部に設けられた単方向弁１８０によって、スリーブが圧縮された場合、空気のスリーブの内部への導入を許容する。
【００３４】
スリーブ１６４の壁部に沿って設けられたトリガアセンブリ１８６はスリーブ１６４の外面に設けられた可動トリガ１９４によって開けられる抽気弁１９０を含んでいる。トリガ１９４は従来の手段を介して抽気弁１９０に付勢せしめられている。ホース１８８はトリガアセンブリ１８６の方へ伸びており、このホースは、空気がスリーブ内部からホース８８内へ通過することができる弁１８９を含んでいる。トリガアセンブリ１８６から伸びる他のホース１９８はホース部２０２、２０６に分かれる。ホース部２０６は装置１６０からスリーブ１８４へ伸びており、スリーブ内部と流体的に連通するポート（図示せず）に接続されている。
【００３５】
弾性スリーブ１６０は上述したスリーブ６０と類似しており、保持ポケット１９６を含んでいる。保持ポケット１９６の直径は、計器ハウジング１００の外面との確実な係合を付与するために、フィットした計器ハウジング１００の直径より短いことが好ましい。この実施例の計器ハウジング１００は上述した計器ハウジングと同じであり、上記において組み入れられた米国特許台５，９６６８２９号のような一体化ムーブメント機構を含み、当該一体化動作装置により指針面に対する指示部材の円周運動が可能になる。ホース部２０２は保持ポケット１９６に設けられたポート２００へ伸びており、従って、図４のポート１４８及び整列された開口部１９７を経て計器１００の内部への流体路を提供する。
【００３６】
動作において、スリーブ１６４の下部１７２が圧縮され、空気がスリーブ内部へ入ること及びチェック弁１８９を通ってホース１８８に入ることを許容する。最初は、抽気弁１９０は閉じられている。従って、空気はトリガアセンブリ１８６並びにホース１９８及びホース部２０２、２０６を経て計器１００及びスリーブ１８４の内部に導かれ、当該スリーブ１８４の膨張を許容する。
【００３７】
上述したように、計器１００の内部に入る空気によって、図４のムーブメント機構の構成に基づいた図４の指示部材１３８の円周運動が生ずる。
【００３８】
抽気弁１９０の開放がトリガ１９４を使用することによりなされ、スリーブ１８４の収縮を許容し、この結果、血圧測定がなされる。
【００３９】
本明細書で説明される発明の概念を含む他の構成にすることも可能である。例えば、図６には、第３実施例に基づく血圧測定装置が示されている。上述したように、血圧測定装置２２０は図４の計器ハウジング１００を密閉して係合する大きさに形成された保持ポケット２２８を含む上部２２６を有する円筒状スリーブ２２４により区画形成されている。円筒状スリーブ２２４はゴム弾性があり、流体機能を可能にする下方圧縮可能部２３２を含んでいる。代わりに、空気バルブ（図示せず）が円柱状スリーブ２２４内に設けられ、これにより接続されたスリーブの膨張をなすこともできる。
【００４０】
図７乃至図９によれば、本発明の第４実施例に基づいて形成された更に別の一体化血圧測定装置が記載されている。この実施例による測定装置３００は区画形成された内部空洞３０８を有するカップ３０４を含んでおり、カップ３０４はプラスチック成形材料からなることが好ましい。内部空洞３０８は上記され且つ予め組み入れられた米国特許台６，１２０，４５８号において説明されたような計器ハウジング３１０を収容できる大きさに形成され、カップ３０４の底面は、取り付けられたポケットハウジング３４６へ伸びる開口部３０９を含んでいる。計器ハウジング３１０は上方保持部３１４及び下方係合部すなわち下方係合端３１８により区画形成された中空円筒状部材である。予め組み込まれた米国特許第６，１２０，５４８号において説明されたようなムーブメント機構（図示せず）が計器ハウジング３１０の中空内部に含まれており、下方係合端３１８は図１７の開口部３１５を底面に有しており、前記開口部３１５により流体（空気）がハウジングに入ることができる。この実施例によれば、ムーブメント機構は機械的であり、底部開口部に対して垂直に伸びる軸カートリッジを含んでいる。平行移動可能シャフト部材はベリリウム銅か、これに類似した材料からなる螺旋状ばね部材を含んでおり、当該螺旋状ばね部材はシャフト部材の外側に重なっており、各端においてシャフト部材及び固定支持部に固定されている。ダイヤフラムは底開口部近傍のシャフト部材の下方に配置されている。 指示部材はシャフト部材の上端に取り付けられる。注入流体（空気）がハウジングに入るので、ダイヤフラムの動きによりシャフト部材の係合端の動きが生ずる。螺旋状ばね部材は強制的に固定されているので、シャフト部材のこの動きは取り付けられた螺旋状ばね部材のたわみを生成し、シャフト部材及び取り付けられた指示部材の回転を生ずる。計器ハウジング３１０の上方保持部３１４は透明な上方窓３１２を含んでおり、当該窓３１２により使用者は測定目盛りを有する指針面に対する指示部材の動きを見ることができる。
【００４１】
本発明の目的のために、本明細書において記述されたムーブメント機構及び計器ハウジングは例示を意図していることは明らかである。機械的あるいは電気的なムーブメント機構が計器ハウジング内に含めることができることは明らかであろう。例えば、計器ハウジングは電気ディスプレイ若しくはＬＥＤ（図示せず）を指示部材の代わりに含むことが考えられる。
【００４２】
計器ハウジング３１０は計器ハウジングの外側に堅固にフィットするように構成された別々の開口端部を有するゴム弾性保持部３２０の内部３１７に保持される。図１０及び図１１によれば、開口端弾性保持部３２０は計器ハウジング３１０を効率的に保持する大きさに形成され、前記保持部は計器ハウジング３１０の円柱状上方保持部３１４の外面と一致する上方保持部３２４及び計器ハウジングの下方係合端３１８と一致する下方保持部３２６を含んでいる。半径方向に伸びる複数の第１隆起部若しくはリブ３２８は上方保持部３２４の外面に配置され、下方保持部３２６の側部及び底部に沿って伸びる複数の第２外側リブ３３０が衝撃及び／若しくは衝突荷重から計器ハウジング３２４を守るために使用される。計器ハウジング３１０が内部空洞３０８に挿入される場合、複数のリブ３２８、３３０はカップ３０４の内壁と係合するような大きさに形成される。以下においてより詳しく説明されるように、弾性保持部３２０の下方保持部３２６は計器ハウジングに取り付けられる場合に流体（例えば、空気）が装置の流体充填部から計器ハウジング３１０へ通過することができる幅方向開口部若しくはポート３３２を有している。ポートは連通部を提供し、ポート３３２への流入物として供給されるべき空気のために計器ハウジングの係合部の周りの取付部は密閉される。
【００４３】
弾性保持部３２０は底面から歯部３３３が伸びている一連の底部を含むことが好ましく、弾性保持部３２０の下方保持部３２６の係合端を形成する。各歯部３３３は、カップ３０４に形成した開口部へ保持部３２０を配置する場合の助けとなるように歯部の遠端において曲がった輪郭を形成若しくは区画形成するように曲げられることが好ましい。
【００４４】
図７乃至図９において、環状ガスケット３３８が計器ハウジングの周囲の縁部を覆うカップ上部に取り付けられ、カップ３０４の開口した上端を覆う周囲バンパ３４２の内面と接触する。このガスケット３３８は衝突の間、計器の窓を保持する。周囲バンパ３４２は高弾性材料から作られ、頂部透明窓３１２を見ることができる中心開口部と、窓及び装置３００の頂部を装置の落下により生ずるような衝撃及び／衝突荷重から守る隆起した周縁部３４４とを有する。隆起した周縁部３４４は等間隔に形成された一組の外部隆起部３４５を含んでいる。当該外部隆起部は弾性材料から作られ、中心開口部の周りに配置され、各隆起部は落下の間、ユニット全体への衝撃を吸収することができるばねとして機能する。さらに、周囲バンパ３４２は、バンパが取り付けられた場合、計器の文字盤に接触するように存在するウェブフランジ３４９を含んでおり、フランジは装置の落下の間、計器質量部が前方部を計器の文字盤の方へ押す場合に曲がるように形成される。
【００４５】
カップ３０４は内部空洞３０８（図示せず）に設けられて整列された開口部及びポケットハウジングに形成された一対の固定柱部３４８（図８に１つだけが示されている）を経て、一対のねじによってポケットハウジング３４６に取り付けられる。計器ハウジング３１０は下方係合端３１８を内部空洞３０８の底面に形成された凹部に取り付けられ、計器ハウジングの内部は流体充填アセンブリと流体的に連通される。この装置３００の流体充填部は流出端すなわち流出サイドをポケットハウジング３４６にフィットした圧縮可能バルブ３３４からなる。第１単方向弁アセンブリが圧縮可能バルブ３３４の流出サイドに取り付けられ、前記弁アセンブリは金属チャネル３９６の領域内に固定された一端を有する単方向弁３９０を含み、前記単方向弁はガスケット３９２により密閉して接続されている。第２単方向弁３９４が圧縮可能バルブ３３４の流入端に取り付けられる。図９においてより明らかに見られるように、第１単方向弁アセンブリは圧縮可能バルブ３３４の流出サイドからポケットハウジング３４６の下端の領域へ、金属チャネルからポケットハウジングに形成された通気口３４７を通って伸びる。
【００４６】
マニホルドブロック部３５０がポケットハウジング３４６の領域、さらに詳しくは、前記ハウジングの上部に加えられ、マニホルドブロック部は保護プレート３５８に設けられた開口部３６４を通るねじ３６２によって取り付けることができる一対の開口部３６５を含んでいる。ねじ３６２はラベル３６６によって覆われる。マニホルドブロック部３５０は一端にポケットハウジング３４６内に包含された第１突出接続部３５４と、反対側にハウジングの外側に伸びる第２突出接続部３５９とを含み、前記第２突出接続部によりホース（図示せず）の取り付けが可能になり、前記ホースによりポケットハウジング３４６の領域と膨張可能スリーブ若しくはカフ（図示せず）との間の流体連通が可能になる。第１突出接続部３５４はカップ３０４の領域への流体路を提供する。
【００４７】
抽気弁アセンブリ３７０がマニホルドブロック部３５０及び本装置の流体充填部の受け入れ通気口３４７に対応してポケットハウジング３４６に取り付けられている。この実施例による抽気弁アセンブリは一体となって抽気弁３７８に取り付けられる回転可能つまみ３７４と連通されたスプール３７９とからなる。スプール３７９はつまみ３７４の係合部に取り付けられ、本アセンブリはつまみとスプールとの間にボール３８２及びばね３８０を含んでいる。抽気弁３７８はポケットハウジング３４６の開口部に加えられる係合端を含んでおり、前記抽気弁は一対のＯリング３８４とガスケット３８６とによってポケットハウジング３４６に密閉して取り付けられ、組み立てを完了する。
【００４８】
動作において、圧縮可能バルブ３３４が圧縮されるので、空気は第２単方向弁３９４を通ってポケットハウジング３４６に流入する。空気は第２単方向弁３９４を通ってバルブ３３４へ引き入れられるが、この弁を通ってバルブから出ることはできない。従って、空気は通気口３４７及びマニホルドブロック部３５０を通ってポケットハウジングに流入することが許される。その後、空気はマニホルドブロック部３５０及び突出接続部３５４を介してカップ３０４の底部領域に導かれ、空気は弾性保持部３２０の幅方向ポート３３２及び係合端３１８の底部開口部（図１７参照）に流入する。また、空気はマニホルドブロック部３５０から膨張可能スリーブ／カフ（図示せず）の方へ、突出接続部３５９に取り付けられたホース（図示せず）を通って膨張可能カフ（図示せず）に導かれる。
【００４９】
カフ／スリーブは収縮するので、空気はバルブ接続部３５９を通ってスリーブ（図示せず）からポケットハウジング３４６及びマニホルドブロック部３５０へ押されて戻ってくる。マニホルドブロック部３５０とカップ３０４の密閉した領域との間に設けられた流体接続部に基づいた流体圧変化は、取り付けられた計器ハウジング３１０及びムーブメント機構（図示せず）に伝えられる。また、空気は、空気が装置３００から排出されるために回転させられるつまみ３７４により開放される抽気弁アセンブリ３７０へ導かれる。
【００５０】
弾性保持部３２０は装置３００に伝わる衝撃及び／若しくは衝突荷重から計器ハウジング３１０及びムーブメント機構（図示せず）を守るための手段を提供する。堅固にフィットする弾性保持部３２０の半径方向に伸びるリブ３２８、３３０及び歯部３３３は計器ハウジング３１０を周囲荷重から保護するか隔離すると共に、弾性周囲頂部バンパ３４２は窓３１２を含むハウジングの全質量部を文字盤落下が起こる場合に助けとなる複数の外部突出部及びウェブフランジ３４９を含む隆起した周囲部３４４を介して保護するか隔離する。さらに、計器はガスケット３３８により隔離される。その上、装置と、ゴムでコーティングされた抽気弁アセンブリ及び装置の流体充填部との外形は全質量部のための更なる衝撃及び／若しくは衝突抵抗を提供する。
【００５１】
血圧測定装置の第５実施例が図１２、図１３（ａ）、及び図１３（ｂ）に開示されている。本装置４００は保持構造の特徴に関して上記した実施例において説明した装置３００とほぼ同一であり、前記装置３００は計器ハウジング３１０、計器ハウジング３１０を保持する大きさに形成された内部空洞３０８を有するカップ３０４、ポケットハウジング３４６、圧縮可能バルブ３３４と第１及び第２単方向弁３９０、３９４とにより区画形成された空気アセンブリ、抽気弁アセンブリ３７０、並びにポケットハウジング内に包含されたマニホルドブロック部３５０を含んでおり、マニホルドブロック部３５０により空気充填アセンブリ、ポケットハウジング３４６の領域と膨張可能スリーブ／カフ（図示せず）との間の流体連通が可能になる。従って、簡略化するために、ここでは同一部には同じ参照符号を付けている。
【００５２】
しかし、前の実施例において説明した堅固にフィットする弾性保持部の代わりに、計器ハウジング３１０はカップ３０４の内部空洞３０８内に固定される高弾性のガスケット４０６に挿入される。弾性ガスケット４０６は中心部に配置された上端開口部４１０を有する中空開放端管部４０７及び軸部の中心の周りに管部４０７から半径方向に伸びる内側周囲部及び外側周囲部を有するほぼリング状の周囲部４０９により区画形成される。リング状周囲部４０９は管部４０７から半径方向に伸びる幅方向ポート４１８を保持するギャップ４１７を含み、ポートは管部４０７の中空内部に伸びる貫通開口部４１９を含んでいる。ガスケット４０６の管部４０７（より詳しくは、管部４０７の直径）は計器ハウジング３１０の係合端３１８を収容する大きさに形成される。一組の固定用穴部４１４が弾性ガスケット４０６の外側周囲部に沿って配置され、前記固定用穴部４１４によって、カップ３０４の底面に設けられた固定用柱部３９８への取付が可能になる。
【００５３】
動作において、接続スリーブ（図示せず）が突出接続部を用いてマニホルドブロック部３５０に取り付けられ、圧縮可能バルブ３３４を用いて膨張させられる。また、マニホルドブロック部３５０に移動した空気は弾性ガスケット４０６の幅方向ポート４１８に設けられた開口部４１９を経てカップ３０４の領域に導かれる。その後、空気はガスケット４０６の管部に流入し、計器ハウジング３１０の取り付け係合端３１８の底開口部３１５（図１７参照）に導かれ、残りのアセンブリとの直通の流体連通を与え、弾性ガスケットの取付は測定処置を妨害しない。一方、カップ３０４に衝撃荷重を付与することは可撓性ガスケット４０６が荷重を吸収する結果になり、実際には、可撓性ガスケットはトランポリンの効果と同様にエネルギを貯蔵するように機能する。
【００５４】
しかし、上記において説明したように、本装置の残りの衝撃吸収アスペクトが計器ハウジングの窓及び上方周囲バンパ３４２を覆う弾性ガスケットの設備を含む簡単な装置に見られ、前記上方周囲バンパは複数の外部ばね状隆起部及び可撓性ウェブフランジを有する隆起した周囲部を含んでいる。
【００５５】
一体化装置に関する他の可能な変形物及び変更物が当業者により想像されることができる。例えば、図１４乃至図１５には、本発明に基づく第６実施例が説明されている。この実施例によれば、図１０及び図１１に基づき上記において説明したような堅固にフィットする弾性保持部３２０が計器を装置内に保持するために使用されることができる。前記装置は一体化流体充填バルブを有する上記血圧測定装置の代わりに膨張可能スリーブに直接接続される。上記したように、図面を簡略化するために、同じ参照番号が同様の部分に付けられる。
【００５６】
簡単には、この実施例に基づく血圧測定装置４４０は内部空洞４４８を有するほぼカップ状の装置ハウジング４４４を含んでおり、前記ハウジングはコンパクトな本体部に一組のねじ４５２により繋がれ、前記ねじはハウジングと本体部とに形成された開口部を通って取り付けられ、開口部はラベル４５３により覆われる。この実施例に基づくカップ状ハウジング４４４の内壁は周囲部に配置された複数のタブ４５０を含んでおり、前記タブは所定の間隔を開けて中心方向に向けられている。カップ状ハウジング４４４の頂部開口部は一組の外側ねじ山を有している。
【００５７】
計器ハウジング３１０は装置ハウジング４４４の内部空洞４４８の領域内に配置され、さらに、計器ハウジングは堅固にフィットする弾性保持部３２０に係合している。前記弾性保持部３２０は計器ハウジングの上方及び下方係合部３１４、３１８と係合する大きさに形成される。弾性保持部３２０は上方及び下方保持部３２４、３２８に形成された放射状に伸びる複数の外部リブ３２８、３３０を有しており、前記リブはカップ状ハウジング４４４の内壁、好ましくはタブ４５０との接触部と、一組の外側の歯部３３３とに配置され、歯部３３３はカップ状装置ハウジング４４４の底壁に形成された凹部（図示せず）及び環状密閉リング４７０との接触部へ伸びている。
【００５８】
コンパクトな本体部４４９の下部に係合するマニホルドブロック部４６０は一組の拡張突出部４６４、４６６を両端に含んでいる。マニホルドブロック部４６０がコンパクトな本体部４４９の領域内に配置される場合に、突出部４６４は弾性保持部３２０の幅方向に伸びる外部ポート３３４へ伸びており、計器ハウジング３１０の内部との流体連通を提供する。他方の突出部４６６は膨張可能スリーブ若しくはカフ（図示せず）に取り付けるのに使用される。
【００５９】
本体部４４９及びマニホルドブロック部４６０は一組の保持用ねじ４７２を用いて保護プレート４６８により覆われる。前記保持用ねじは一組の取付穴を通って挿入され、ラベル４７６により覆われる。ねじはマニホルドブロック部４６０の開口部４８０に加えられ、固定する。固定されているので、突出部４６２はマニホルドブロック部から伸びている。
【００６０】
環状リング４８８がカップ状ハウジング４４４の外側の外側ねじ山４９２に加えられ、弾性リングつまりガスケット４９６が弾性保持部３２０と計器ハウジング３１０の頂部窓３１２の周囲縁部との間に配置される。上述したように、後者は衝突の間、窓を保持するために使用される。周囲バンパ５００は上記した要素を覆うために固定され、本体部４４９は本体部及びカップ状ハウジングの底部を通って取り付けられるねじ４５２によってカップ状ハウジング４４４に取り付けられる。上記において説明したように、周囲バンパ５０２は中心開口部、複数の隆起したばね状突起部５０５及び計器の文字盤に接触している可撓性ウェブフランジ５０６を有する隆起した周囲部５０２からなり、前記フランジは計器質量部が窓を落下している方へ押す場合に曲がるように構成される。
【００６１】
クリップアセンブリがコンパクト本体部４４９の後に取り付けられる。この実施例に基づくクリップアセンブリは一組の開口部５０５を有する円形取付部材５０３を含んでいる。前記開口部によりねじ５０９を用いてコンパクト本体部４４９に取り付けて固定することができる。取付部材５０３の後部はばねクリップ部材５１１を取り付けることができる幅方向開口部５０７を含んでおり、前記ばねクリップ部材の取付は所定の間隔を開けられた支持部５１９の対の間のばね５１３及びピボットロッド５１５を用いて行われる。
【００６２】
血圧測定装置４４０の操作が以下において簡単に説明される。当該装置４４０では拡張突出部４６２がホース（図示せず）を膨張可能スリーブに取り付けるのに使用され、前記スリーブは流体供給源（例えば、バルブ（図示せず）若しくはポンプアセンブリ（図示せず））に別々に取り付けられる。この場合では、流体はホースからマニホルドブロック部４６０の方へ向けられ且つ突出部４６４と共に弾性保持部３２０の幅方向ポート３３２の領域を経て計器ハウジング３１０の領域の方へ向けられる。よって、次に流体は計器ハウジング３１０の係合端３１８の底開口部３１５（図１７）及びムーブメント機構により使用するための計器ハウジングの内部の方へ向けられる。クリップアセンブリによって、本装置４４０はカフ／スリーブか使用者に取り付けられることができる。一方、弾性保持部３２０は計器ハウジング３１０の上部及び下部、ガスケット４９６、並びに外部形状３２８、３３０、３３３に衝撃及び／衝突荷重の内部分離を与える。
【００６３】
また、外部保護部がアセンブリの質量部の全体に設けられる。例えば、アセンブリ４４０の頂部に対する一様な荷重が隆起周縁部５０２、隆起突出部５０５、及びウェブフランジ５０６を含む弾性周囲バンパ５０１により吸収される。装置の他の衝撃サイドに対する更なる保護部がゴムで覆った抽気弁結合部及び他の部品により設けられる。
【００６４】
本発明の概念を使用し、第７実施例により作られた他の血圧測定装置が図１６及び図１７に関して説明される。前述したように、図面の簡略化のために、全ての同一部品には同一の参照番号が付けられている。
【００６５】
この実施例によれば、前の実施例とは異なっており、血圧測定装置５００は膨張可能血圧スリーブ（図示せず）に一体になって形成されたポートに直接係合されることができるコンパクトなほぼカップ状のハウジング５０４を含んでいる。 米国特許第６，６１５，６６６号に説明されるポートはカフの内部と流体連通可能な開口部を有する窪んだ係合部を含んでいる。
【００６６】
さらに、ハウジング５０４は計器ハウジング３１０を含む複数の要素を保持する大きさに形成された内部空洞５０８を含んでいる。前記ハウジング３１０は弾性保持部５１２にフィットされる。計器ハウジング３１０は上方保持部３１４及び下方係合部つまり下方係合端３１８を含んでいる。前記下方係合端３１８は弾性保持部５１２に設けた中心開口部を経て伸びている。前記保持部５１２は等間隔に設けられ且つ放射状に伸びる複数のリブ５１６を含んでおり、リブ５１６は外周に沿った周囲に設けられる。上述したように、計器ハウジング３１０は指針面（図示せず）に対する指示部材の相対的な動きを見ることができる透明な窓３１２を含んでいる。前記指針面は指針面に設けられた測定目盛り（図示せず）を有している。上述したように、計器ハウジングに関して使用されたムーブメント機構は機械的な種類の一例である。なお、本明細書に説明される衝撃吸収技術が、圧力変化を検出するために流体の入流に依存し且つ衝撃及び／若しくは衝突荷重からの防護を必要とする電気的若しくは他の種類の測定装置のために使用されることができることは容易に明らかであろう。
【００６７】
図１６及び図１７によれば、環状密閉リング５２４が頂部窓３１２の周囲縁部と周囲バンパとの間に取り付けられ、前記周囲バンパはハウジング５０４の周囲開口部に設けられた一組の外部ねじ山５３２に重なって取り付けられる。この密閉リング５２４は、衝撃荷重が計器の頂部窓に対して伝わる場合に衝撃保護を提供する。更なるリング部材５１０がカップ状ハウジング５０４の開放端の頂部に設けられた外部ねじ山５３２に取り付けられる。ハウジング５０４の拡張部５４０は当該拡張部に付けられたラベル５３６を有し、ハウジングの後側にもラベル５４４を有する。
【００６８】
組み立てでは、まず始めに、計器ハウジング３１０が弾性保持部５１２の内部にフィットされ、前記弾性保持部５１２は計器ハウジングの上方保持部３１４の外壁に堅固にフィットする配置に合うようにする。上記したように、計器ハウジング３１０の下方係合部３１８は弾性保持部５１２の中心開口部５２０を経て伸びる。次に、組み立てられた計器ハウジング３１０及びスリーブ部材５１０がカップ状装置ハウジングの内部空洞５０８に挿入され、ハウジングは、開口部５２０と一列に設けられ且つ計器ハウジング３１０の下方係合端３１８を収容する大きさに形成された同じ様な中心開口部５３３を有する。次に、リング部材５１０が装置ハウジングの周囲開口部の外周の外部ねじ山５３２に取り付けられる。前記周囲バンパ５２８は、密閉リング５２４が計器ハウジング３１０の周囲縁部と周囲バンパ５２８の内面との間に差し込まれた後に組み立てを完了するために重なるように取り付けられる。周囲バンパ５２８は複数の隆起したばね状突起部５３４及び中心開口部を囲む可撓性周囲ウェブフランジ５３８を含む隆起した周囲部５３０を有している。
【００６９】
計器ハウジング３１０の拡張下方係合部３１８は膨張可能スリーブ（図示せず）に形成されたポケット内に係合する大きさに形成される。これは米国特許第６，６１５，６６６号により詳しく説明されており、当該米国特許の内容は組み込まれている。下方係合部３１８は膨張可能スリーブ（図示せず）の内部と流体連通が可能になる中心開口部３１５を含み、前記膨張可能スリーブは抽気弁（図示せず）を含む流体充填手段（図示せず）により膨張される。
【００７０】
一方、弾性保持部５１２は計器ハウジング３１０をしっかり囲み、弾性材料及び外周に設けられた外部リブ５１６によって衝撃及び／若しくは衝突荷重が計器ハウジングとムーブメント機構とに伝わるのを防ぐ。前記リブ形状５１６は伝わった荷重を受け取って消散する。
【００７１】
上記したように、装置５００（周囲バンパ５２８、抽気弁つまみ、及び流体充填バルブアセンブリを含む）の外部形状は、衝突荷重のために、本装置の質量部全体に耐衝撃性を付与する。
【００７２】
さらなる代替構造が考えられる。例えば、弾性保持部は下部が膨張可能スリーブのポケットに伸ばされることができるように計器ハウジングの下方係合部を収容する大きさに形成された下部を有するように形成することができる。
【００７３】
本発明は添付図面に示される好適な形態に関して詳しく説明したが、当業者は細部を様々に変更することが請求の範囲に示された本発明の精神及び範囲を逸脱することなしに効果的であることを理解するだろう。
【図面の簡単な説明】
【００７４】
【図１】図１は公知の血圧測定装置の上面斜視図である。
【図２】図２は他の公知の血圧測定装置の上面斜視図である。
【図３】図３は図２の公知の血圧測定装置の一部の断面立面図である。
【図４】図４は本発明の第１実施例に基づく血圧測定装置の側方断面立面図である。
【図５】図５は本発明の第２実施例に基づく血圧測定装置の側方断面立面図である。
【図６】図６は本発明の第３実施例に基づく血圧測定装置の斜視図である。
【図７】図７は本発明の第４実施例に基づく血圧測定装置の側方斜視図である。
【図８】図８は図７の装置の分解図である。
【図９】図９は図７及び図８の血圧測定装置の部分側方断面立面図である。
【図１０】図１０は計器ハウジングを収容し、図７乃至図９の血圧測定装置に使用される弾性保持部の上面図である
【図１１】図１１は図１０の弾性保持部の部分断面側面図である。
【図１２】図１２は本発明の第５実施例に基づく血圧測定装置の側方立面図である。
【図１３（ａ）】図１３（ａ）は図１２の血圧測定装置に使用される弾性ガスケットの側方立面図である。
【図１３（ｂ）】図１３（ｂ）は図１２の血圧測定装置に使用される弾性ガスケットの上面斜視図である。
【図１４】図１４は本発明の第６実施例に基づく血圧測定装置の斜視図である。
【図１５】図１５は図１４の装置の分解図である。
【図１６】図１６は本発明の第７実施例に基づく血圧測定装置の分解図である。
【図１７】図１７は図１６の血圧測定装置の後方斜視図である。
【符号の説明】
【００７５】
１０    血圧測定器
１４    膨張可能スリーブ若しくはカフ
１８    空気アセンブリ
２２    ポート
２３    ホース
２６    計器
２７    ホース
３０    指針面
３２    測定目盛り
３６    抽気弁
４０    装置
４３    ホース
４４    計器
４５    スリーブ
４７    ポート
４８    流体充填バルブ
５４    トリガ
５６    弁
６０    一体化血圧測定装置
６４    弾性スリーブ
６８    下部
７２    収縮可能バルブ
７６    バルブの下部
８０    第１単方向弁
８４    注入ポート
８６    第２単方向弁
８８    ホース
９０    ホース
９２    抽気弁
９６    トリガアセンブリ
９９    可動トリガ
１００  計器ハウジング
１０４  上部
１０６  下方係合部
１０８  ポケット
１０９  整列された開口部
１１６  ダイヤフラム
１２３  ホース部
１２５  ホース部
１３０  軸シャフト部材
１３４  リボンばね
１３８  指示部材
１４２  指針面
１４５  Ｏリング
１４６  透明な窓
１４８  ポート
１６０  血圧測定装置
１６４  弾性スリーブ
１６８  上部
１７２  下方係合部
１８０  単方向弁
１８４  スリーブ
１８６  トリガアセンブリ
１８８  ホース
１８９  チェック弁
１９０  抽気弁
１９４  可動トリガ
１９６  保持ポケット
１９７  整列された開口部
１９８  ホース
２００  ポート
２０２  ホース部
２０６  ホース部
２２０  血圧測定装置
２２４  円筒状スリーブ
２２６  上部
２２８  保持ポケット
２３２  下方圧縮可能部
３００  一体化血圧測定装置
３０４  カップ
３０５  ねじ
３０８  内部空洞
３０９  凹部
３１０  計器ハウジング
３１２  透明な頂部窓
３１４  上方保持部
３１５  底部開口部
３１７  内部
３１８  下方係合部若しくは端
３２０  弾性保持部
３２４  上方保持部上方保持部
３２６  下方保持部下方保持部
３２８  複数の第１リブ
３３０  複数の第２リブ
３３２  幅方向開口部
３３３  歯部
３３４  流体充填バルブ
３３８  調整リング
３４２  周囲バンパ
３４４  隆起した周囲部
３４５  外部突起部
３４６  ポケットハウジング
３４７  通気口
３４８  固定用柱部
３４９  ウェブフランジ
３５０  マニホルドブロック部
３５４  突出接続部
３５８  シールド部
３５９  突出接続部
３６２  ねじ
３６４  開口部
３６５  開口部
３６６  ラベル
３７０  抽気弁アセンブリ
３７４  回転可能つまみ
３７８  抽気弁
３７９  スプール
３８０  ばね
３８２  ボール
３８４  Ｏリング
３８６  ガスケット
３９０  第１単方向弁
３９２  ガスケット
３９４  第２単方向弁
３９６  金属流路
３９８  固定用柱部
４００  装置
４０６  弾性ガスケット
４０７  管状部
４０９  リング状周囲部
４１０  頂部開口部
４１４  固定用穴
４１７  ギャップ
４１８  側方ポート
４１９  ポート開口部
４４０  装置
４４４  装置ハウジング
４４８  内部空洞
４４９  本体部
４５０  タブ
４５２  ねじ
４５３  ラベル
４５９  保持用ねじ
４６１  穴部
４６２  突出部
４６４  拡張突出部
４６６  外部ポート
４６７  ラベル
４６８  保護プレート
４７０  密閉リング
４７２  保持用ねじ
４７６  ラベル
４８０  開口部
４９２  ねじ山
４９６  密閉リング
５００  装置
５０２  隆起した周囲部
５０３  固定部材
５０４  カップ状ハウジング
５０５  隆起した突起部
５０６  ウェブフランジ
５０７  幅方向開口部
５０８  内部空洞
５０９  ねじ
５１０  調整リング
５１１  ばねクリップ部材
５１２  弾性保持部
５１３  ばね
５１５  ピボッドロッド
５１６  リブ
５１９  間隔が開いた保持部
５２０  中心開口部
５２４  密閉リング
５２８  周囲バンパ
５３０  隆起した周囲部
５３２  外部ねじ山
５３３  開口部
５３４  隆起した突起部
５３６  ラベル
５３８  ウェブフランジ
５４０  拡張部
５４４  ラベル
【図１】
2008532711.tif 000002
【図２】
2008532711.tif 000003
【図３】
2008532711.tif 000004
【図４】
2008532711.tif 000005
【図５】
2008532711.tif 000006
【図６】
2008532711.tif 000007
【図７】
2008532711.tif 000008
【図８】
2008532711.tif 000009
【図９】
2008532711.tif 000010
【図１０】
2008532711.tif 000011
【図１１】
2008532711.tif 000012
【図１２】
2008532711.tif 000013
【図１３（ａ）】
2008532711.tif 000014
【図１３（ｂ）】
2008532711.tif 000015
【図１４】
2008532711.tif 000016
【図１５】
2008532711.tif 000017
【図１６】
2008532711.tif 000018
【図１７】
2008532711.tif 000019
【国際調査報告】
2008532711.tif 000020